(57)【要約】【課題】医用画像と検査値の両方を表示可能な表示画面において、傷病毎に必要な重要検査項目の検査値の確認を、煩雑な操作を行うことなく簡単に行える検査結果表示装置及びその作動方法、並びに制御プログラムを提供する。【解決手段】検査結果収集・統合サーバ１６は、電子カルテ保管サーバなどから所定の患者の診療情報及び医用画像２３を収集し、これらを統合した検査結果表示画面４２を生成する。検査結果表示画面４２において、医用画像のサムネイル画像が選択された場合には、対応する医用画像２３の付帯情報２３ｂから検査目的を取得し、診療の際に参照する検査項目を重要検査項目として傷病毎に記録した重要検査項目情報５３から、取得した検査目的に対応する重要検査項目を取得し、重要検査項目の検査値のみが表示されるように検査結果表示画面４２を更新する。【選択図】図９
2014109835.tif 000002
【特許請求の範囲】
【請求項１】
少なくとも１つの検査目的を持って患者に対して実施された画像検査において撮影された医用画像を格納する医用画像格納部、及び前記患者に対して実施され、複数の検査項目が含まれる医療検査であり、各検査項目の検査結果が数値化された検査値で表される医療検査の検査結果が格納される検査結果格納部にアクセスして、前記医用画像、及び前記複数の検査項目の前記検査値を読み出す検査結果読出部と、
前記画像検査の検査目的を格納する検査目的格納部にアクセスして、前記検査目的を読み出す検査目的読出部と、
複数の前記医用画像を表示可能な画像表示領域、及び前記複数の検査項目の前記検査値を表示可能な検査値表示領域を有する検査結果表示画面を生成する画面生成部と、
前記複数の検査項目に関して、前記検査目的の種類毎に必要な検査項目である重要検査項目を記憶した重要検査項目格納部にアクセスして、前記重要検査項目を読み出す重要検査項目読出部と、
前記画像表示領域に表示されている前記複数の医用画像の中から少なくとも１つの前記医用画像が選択されたことを表す画像選択情報を受け付ける画像選択情報受付部とを備えており、
前記画面生成部は、前記画像選択情報に基づいて、選択された前記医用画像に対応する前記検査目的を前記検査目的読出部を通じて取得し、取得した前記検査目的に基づいて、前記重要検査項目を前記重要検査項目読出部を通じて取得し、取得した前記重要検査項目に基づいて、前記重要検査項目に対応する前記検査値のみを前記検査値表示領域に表示させることを特徴とする検査結果表示装置。
【請求項２】
前記画面生成部は、前記検査結果表示画面において複数の前記医用画像が選択された場合には、複数の前記医用画像のそれぞれの検査目的を取得し、取得した複数の前記検査目的に対応する前記重要検査項目の前記検査値を前記検査値表示領域に表示させることを特徴とする請求項１に記載の検査結果表示装置。
【請求項３】
複数の前記医用画像のそれぞれの前記検査目的に共通する検査目的と、共通しない検査目的の両方がある場合には、前記検査値表示領域において、前記共通する検査目的に対応する前記重要検査項目の検査値と、前記共通しない検査目的に対応する前記重要検査項目の検査値とを識別可能に表示させることを特徴とする請求項２に記載の検査結果表示装置。
【請求項４】
複数の前記医用画像のそれぞれの検査目的に共通する検査目的がある場合には、前記検査値表示領域において、前記共通する検査目的に対応する前記重要検査目的の検査値のみを表示させることを特徴とする請求項２に記載の検査結果表示装置。
【請求項５】
前記医用画像には、本画像と前記本画像を縮小したサムネイル画像があり、
前記検査結果表示画面には、前記サムネイル画像が表示されることを特徴とする請求項１〜４のいずれか１項に記載の検査結果表示装置。
【請求項６】
前記本画像と前記サムネイル画像は関連付けられており、
前記検査結果表示画面において、前記サムネイル画像が選択された場合には、前記本画像が表示されることを特徴とする請求項５に記載の検査結果表示装置。
【請求項７】
前記画面生成部は、前記本画像が表示された場合において、前記検査目的に対応する前記重要検査項目の検査値を前記本画像内に重畳的に表示させることを特徴とする請求項６に記載の検査結果表示装置。
【請求項８】
前記検査項目毎に前記検査値の基準値の範囲を記録した基準値情報を格納する基準値格納部にアクセスして、前記基準値情報を取得する基準値情報取得部と、
前記基準値情報と、前記検査値表示領域に表示される前記検査値とを比較する比較部とを備えており、
前記画面生成部は、前記検査値表示領域において、前記基準値の範囲内にある検査値と、前記基準値の範囲外にある検査値とを識別可能に表示させることを特徴とする請求項１〜７のいずれか１項に記載の検査結果表示装置。
【請求項９】
前記画面生成部は、異なる時期に実施された複数回分の前記検査値に基づいて、前記検査値の時間的な推移を示すグラフを作成して、前記グラフを前記検査値表示領域に表示させることを特徴とする請求項１〜８のいずれか１項に記載の検査結果表示装置。
【請求項１０】
前記画面生成部は、前記検査結果表示画面において、異なる時期に撮影された複数の前記医用画像を時系列に並べて表示させることを特徴とすることを特徴とする請求項１〜９のいずれか１項に記載の検査結果表示装置。
【請求項１１】
医療に関する検査の検査結果を表示する検査結果表示装置の作動方法において、
少なくとも１つの検査目的を持って患者に対して実施された画像検査において撮影された医用画像を格納する医用画像格納部、及び前記患者に対して実施され、複数の検査項目が含まれる医療検査であり、各検査項目の検査結果が数値化された検査値で表される医療検査の検査結果が格納される検査結果格納部にアクセスして、前記医用画像、及び前記複数の検査項目の前記検査値を読み出す検査結果読出ステップと、
前記画像検査の検査目的を格納する検査目的格納部にアクセスして、前記検査目的を読み出す検査目的読出ステップと、
複数の前記医用画像を表示可能な画像表示領域、及び前記複数の検査項目の前記検査値を表示可能な検査値表示領域を有する検査結果表示画面を生成する画面生成ステップと、
前記複数の検査項目に関して、前記検査目的の種類毎に必要な検査項目である重要検査項目を記憶した重要検査項目格納部にアクセスして、前記重要検査項目を読み出す重要検査項目読出ステップと、
前記画像表示領域に表示されている前記複数の医用画像の中から少なくとも１つの前記医用画像が選択されたことを表す画像選択情報を受け付ける画像選択情報受付ステップと、
前記画面生成ステップにおいて、前記画像選択情報に基づいて、選択された前記医用画像に対応する前記検査目的を取得し、取得した前記検査目的に基づいて、前記重要検査項目を取得し、取得した前記重要検査項目に基づいて、前記重要検査項目に対応する前記検査値のみを前記検査値表示領域に表示させるステップとを含むことを特徴とする検査結果表示装置の作動方法。
【請求項１２】
医療に関する検査の検査結果を表示する検査結果表示装置としてコンピュータを機能させるための検査結果表示プログラムにおいて、
少なくとも１つの検査目的を持って患者に対して実施された画像検査において撮影された医用画像を格納する医用画像格納部、及び前記患者に対して実施され、複数の検査項目が含まれる医療検査であり、各検査項目の検査結果が数値化された検査値で表される医療検査の検査結果が格納される検査結果格納部にアクセスして、前記医用画像、及び前記複数の検査項目の前記検査値を読み出す検査結果読出ステップと、
前記画像検査の検査目的を格納する検査目的格納部にアクセスして、前記検査目的を読み出す検査目的読出ステップと、
複数の前記医用画像を表示可能な画像表示領域、及び前記複数の検査項目の前記検査値を表示可能な検査値表示領域を有する検査結果表示画面を生成する画面生成ステップと、
前記複数の検査項目に関して、前記検査目的の種類毎に必要な検査項目である重要検査項目を記憶した重要検査項目格納部にアクセスして、前記重要検査項目を読み出す重要検査項目読出ステップと、
前記画像表示領域に表示されている前記複数の医用画像の中から少なくとも１つの前記医用画像が選択されたことを表す画像選択情報を受け付ける画像選択情報受付ステップと、
前記画面生成ステップにおいて、前記画像選択情報に基づいて、選択された前記医用画像に対応する前記検査目的を取得し、取得した前記検査目的に基づいて、前記重要検査項目を取得し、取得した前記重要検査項目に基づいて、前記重要検査項目に対応する前記検査値のみを前記検査値表示領域に表示させるステップとを含むことを特徴とする検査結果表示プログラム。
【発明の詳細な説明】
【技術分野】
【０００１】
本発明は、患者に実施された検査の結果を表示する検査結果表示装置及びその作動方法、並びにプログラムに関する。
【背景技術】
【０００２】
病院等の医療機関では、患者の診療に際して作成された診察記録、治療記録及び検査結果などの診療情報等を電子データとして保管、管理するコンピュータシステムの導入が進んでいる。こうしたコンピュータシステムの１つとして、患者に対して実施した検査の検査結果を表示する検査結果表示装置が知られている（特許文献１及び特許文献２参照）。
【０００３】
検査には各種のものがあるが、大きく分けて、Ｘ線画像や超音波画像などの医用画像を撮影し、撮影した医用画像を検査結果とする画像検査と、検査結果が数値化された検査値である医療検査がある。検査結果が数値である医療検査には、バイタル検査や血液検査などがあり、これらの医療検査では、１つの検査に複数の検査項目が含まれるものが多い。例えば、バイタル検査であれば、検査項目として、脈拍、血圧、体温などの複数の検査項目が含まれており、血液検査であれば、検査項目として、血液中の白血球数、赤血球数、ヘモグロビン濃度などが含まれる。
【０００４】
特許文献１及び特許文献２の検査結果表示装置は、異なる時期に複数回実施された医療検査の検査結果について、検査項目毎に検査値を時系列でグラフ化して表示する機能を備えている。検査結果表示装置は、例えば、バイタル検査であれば、脈拍、血圧といった検査項目毎に、血液検査であれば白血球数、赤血球数といった検査項目毎に、それぞれの検査値の時系列グラフを作成して表示画面に表示する。検査値の時系列グラフは、検査値の時間的な推移を表すものであるので、患者の傷病の進行度、術後の経過や投薬効果などの治療効果の把握を容易にする。進行度や治療効果は、治療方針を決定する際の重要な指標であるため、検査値の時系列グラフは非常に有用である。
【０００５】
また、特許文献１及び特許文献２の検査結果表示装置は、検査値の時系列グラフに加えて、画像検査で撮影された医用画像についても時系列で表示する機能を備えている。医用画像と検査値は、それぞれ患者を識別する識別情報である患者ＩＤで関連付けられており、表示画面において医用画像と検査値の一方を表示中に患者ＩＤに基づいて他方を読み出すことが可能である。診療に際しては医用画像と検査値の両方を参照することが多いので、医用画像と検査値の一方から他方を検索できる機能も非常に有用である。
【先行技術文献】
【特許文献】
【０００６】
【特許文献１】特開２０１０−０９７４７６号公報
【特許文献２】特開２０１２−０３８３４９号公報
【発明の概要】
【発明が解決しようとする課題】
【０００７】
しかしながら、特許文献１の検査結果表示装置は、１人の患者について、検査の種類や回数が多い場合には、操作が煩雑になるという問題があった。理由は次のとおりである。一般に、診療は以下の手順で進む。まず、問診等による患者を診察して可能性のある傷病の絞り込みが行われて、患者の傷病を特定するために複数種類の検査が実施され、それらの検査結果が総合的に判断されて、傷病が特定される。また、診察において、複数の傷病が疑われる場合や、特定された傷病が別の傷病を併発しやすい場合には、複数の傷病に関係する複数種類の検査が実施される。傷病が特定されと、医師は、検査結果に基づいて治療方針を立てて治療を実施し、さらに検査を重ねて治療効果を見極める。
【０００８】
医療機関においては、外科や内科といった主として診察や治療を担当する診療科と、検査を担当する検査科は分科されており、検査科は診療科が発行する検査オーダに基づいて検査を実施する。バイタル検査や血液検査などの医療検査がオーダされると、検査科はバイタル検査や血液検査に含まれる複数の検査項目の検査値をリスト化してこれを検査結果として診療科に渡す。
【０００９】
診療に際して参照される検査項目は傷病毎に異なるため、例えば、ある傷病が疑われる場合には、血液検査に含まれる複数の検査項目のうち、特定の検査項目に着目して診療が行われる。この場合、診療科の医師は、血液検査の複数の検査項目の中から、傷病に応じて必要な重要検査項目を選択してその検査値を確認する。血液検査に加えてバイタル検査の検査結果を確認する場合には、同様に、バイタル検査の複数の検査項目の中から、傷病に応じて必要な重要検査項目を選択してその結果を参照する。このように診療の過程では複数種類の検査が何度も実施され、複数の検査項目の中から傷病に応じて重要検査項目を選択するという選択操作が行われる。
【００１０】
また、画像検査の場合には、診療科は、検査目的を指定して検査オーダを発行し、検査科においては検査目的に応じて撮影方法を変えながら撮影が行われる場合が多い。検査目的は、例えば、肺ガンの診断目的、肺炎の診断目的、胃ガンの診断目的というように傷病の種類毎に指定される。撮影された医用画像は、検査目的を含む検査オーダと関連付けて保管される。
【００１１】
特許文献１及び特許文献２の検査結果表示装置を用いれば、医用画像と検査値が患者ＩＤと関連づけられているため、検査結果を表示する表示画面において、１人の患者に関する医用画像と検査値の両方を簡単に参照することができるが、診療の過程において実施された検査の種類や回数が多岐に渡る場合には、表示画面に多数の検査値や多数枚の医用画像が表示されることになる。複数の傷病の疑いがある場合や、複数の傷病が併発している場合には、検査値や医用画像の数はより多くなる。医用画像は傷病に対応する検査目的を持って撮影されるため、表示画面において医用画像とそれに関連する検査値を参照したい場合には、医用画像毎に検査項目の選択操作を行わなければならず、操作が非常に煩雑になるため、特に問題となっていた。
【００１２】
本発明は、上記課題を解決するために、医用画像と検査値の両方を表示可能な表示画面において、傷病毎に必要な重要検査項目の検査値の確認を、煩雑な操作を行うことなく簡単に行える検査結果表示装置及びその作動方法、並びに制御プログラムを提供することを目的とする。
【課題を解決するための手段】
【００１３】
上記課題を解決するために、本発明の検査結果表示装置は、少なくとも１つの検査目的を持って患者に対して実施された画像検査において撮影された医用画像を格納する医用画像格納部、及び患者に対して実施され、複数の検査項目が含まれる医療検査であり、各検査項目の検査結果が数値化された検査値で表される医療検査の検査結果が格納される検査結果格納部にアクセスして、医用画像、及び複数の検査項目の検査値を読み出す検査結果読出部と、画像検査の検査目的を格納する検査目的格納部にアクセスして、検査目的を読み出す検査目的読出部と、複数の医用画像を表示可能な画像表示領域、及び複数の検査項目の検査値を表示可能な検査値表示領域を有する検査結果表示画面を生成する画面生成部と、複数の検査項目に関して、検査目的の種類毎に必要な検査項目である重要検査項目を記憶した重要検査項目格納部にアクセスして、重要検査項目を読み出す重要検査項目読出部と、画像表示領域に表示されている複数の医用画像の中から少なくとも１つの医用画像が選択されたことを表す画像選択情報を受け付ける画像選択情報受付部とを備えており、画面生成部は、画像選択情報に基づいて、選択された医用画像に対応する検査目的を検査目的読出部を通じて取得し、取得した検査目的に基づいて、重要検査項目を重要検査項目読出部を通じて取得し、取得した重要検査項目に基づいて、重要検査項目に対応する検査値のみを検査値表示領域に表示させるものである。
【００１４】
画面生成部は、検査結果表示画面において複数の医用画像が選択された場合には、複数の医用画像のそれぞれの検査目的を取得し、取得した複数の検査目的に対応する重要検査項目の検査値を検査値表示領域に表示させることが好ましい。
【００１５】
複数の医用画像のそれぞれの検査目的に共通する検査目的と、共通しない検査目的の両方がある場合には、検査値表示領域において、共通する検査目的に対応する重要検査項目の検査値と、共通しない検査目的に対応する重要検査項目の検査値とを識別可能に表示させることが好ましい。
【００１６】
複数の医用画像のそれぞれの検査目的に共通する検査目的がある場合には、検査値表示領域において、共通する検査目的に対応する重要検査目的の検査値のみを表示させることが好ましい。
【００１７】
医用画像には、本画像と本画像を縮小したサムネイル画像があり、検査結果表示画面には、サムネイル画像が表示されることが好ましい。
【００１８】
本画像とサムネイル画像は関連付けられており、検査結果表示画面において、サムネイル画像が選択された場合には、本画像が表示されることが好ましい。
【００１９】
画面生成部は、本画像が表示された場合において、検査目的に対応する重要検査項目の検査値を本画像内に重畳的に表示させることが好ましい。
【００２０】
検査項目毎に検査値の基準値の範囲を記録した基準値情報を格納する基準値格納部にアクセスして、基準値情報を取得する基準値情報取得部と、基準値情報と、検査値表示領域に表示される検査値とを比較する比較部とを備えており、画面生成部は、検査値表示領域において、基準値の範囲内にある検査値と、基準値の範囲外にある検査値とを識別可能に表示させることが好ましい。
【００２１】
画面生成部は、異なる時期に実施された複数回分の検査値に基づいて、検査値の時間的な推移を示すグラフを作成して、グラフを検査値表示領域に表示させることが好ましい。
【００２２】
画面生成部は、検査結果表示画面において、異なる時期に撮影された複数の医用画像を時系列に並べて表示させることが好ましい。
【００２３】
本発明の医療に関する検査の検査結果を表示する検査結果表示装置の作動方法は、少なくとも１つの検査目的を持って患者に対して実施された画像検査において撮影された医用画像を格納する医用画像格納部、及び患者に対して実施され、複数の検査項目が含まれる医療検査であり、各検査項目の検査結果が数値化された検査値で表される医療検査の検査結果が格納される検査結果格納部にアクセスして、医用画像、及び複数の検査項目の検査値を読み出す検査結果読出ステップと、画像検査の検査目的を格納する検査目的格納部にアクセスして、検査目的を読み出す検査目的読出ステップと、複数の医用画像を表示可能な画像表示領域、及び複数の検査項目の検査値を表示可能な検査値表示領域を有する検査結果表示画面を生成する画面生成ステップと、複数の検査項目に関して、検査目的の種類毎に必要な検査項目である重要検査項目を記憶した重要検査項目格納部にアクセスして、重要検査項目を読み出す重要検査項目読出ステップと、画像表示領域に表示されている複数の医用画像の中から少なくとも１つの医用画像が選択されたことを表す画像選択情報を受け付ける画像選択情報受付ステップと、画面生成ステップにおいて、画像選択情報に基づいて、選択された医用画像に対応する検査目的を取得し、取得した検査目的に基づいて、重要検査項目を取得し、取得した重要検査項目に基づいて、重要検査項目に対応する検査値のみを検査値表示領域に表示させるステップとを含むものである。
【００２４】
また、本発明の検査結果表示プログラムは、コンピュータに上記検査結果表示装置の作動方法で説明した各ステップを実行させるものである。
【発明の効果】
【００２５】
本発明によれば、検査値表示領域には、選択された医用画像の検査目的に対応する重要検査項目の検査値のみが表示されるので、重要検査項目の選択操作が不要になり、操作性が向上する。また、重要検査項目の検査値が見やすくなるので、検査値の見間違いによる誤診を防ぐこともできる。
【図面の簡単な説明】
【００２６】
【図１】検査結果表示装置を含む医療情報システムの構成を示す概略図である。
【図２】医療情報システムの主な情報の流れを示す概略図である。
【図３】検査結果表示装置等に用いられるコンピュータの電気的な構成を示すブロック図である。
【図４】検査結果表示装置の機能的な構成を示すブロック図である。
【図５】カルテ表示画面の一例を示す説明図である。
【図６】参照テーブルとして表した重要検査項目情報の一例を示す説明図である。
【図７】全ての検査値を表示した検査結果表示画面の一例を示す説明図である。
【図８】重要検査項目の検査値のみを表示した検査結果表示画面の一例を示す説明図である。
【図９】重要検査項目の検査値の表示手順を示す概念図である。
【図１０】医用画像の表示状態を示す説明図である。
【図１１】検査結果表示画面の表示手順を示すフローチャートである。
【図１２】第２実施形態の検査結果表示画面の一例を示す説明図である。
【図１３】第２実施形態の検査結果表示画面の表示手順を示すフローチャートである。
【図１４】第２実施形態の別の例の検査結果表示画面を示す説明図である。
【図１５】第３実施形態の重要検査項目情報の一例を示す説明図である。
【図１６】第３実施形態の検査結果表示画面の一例を示す説明図である。
【図１７】第３実施形態の検査結果表示画面の表示手順を示すフローチャートである。
【発明を実施するための形態】
【００２７】
［第１実施形態］
図１に示す医療情報システム１０は、病院等の医療機関で医療に関する情報を管理するために用いられるコンピュータシステムである。医療情報システム１０は、電子カルテを保管・管理する電子カルテ保管サーバ１１と、検査結果の入力に用いられる検査室端末１２と、医用画像を保管する画像保管サーバ１３と、検査結果の表示機能を備えた検査結果表示装置１４と、これらを通信可能に接続する、ＬＡＮ（ローカルエリアネットワーク）などのネットワーク１５とで構成されている。検査結果表示装置１４は、電子カルテ保管サーバ１１及び画像保管サーバ１３などから検査結果を収拾して統合した検査結果表示画面を生成する検査結果収集・統合サーバ（以下、統合サーバという）１６と、各診療科に設置されて検査結果表示画面の閲覧に用いられる診療科端末１７とを備えている。
【００２８】
電子カルテ保管サーバ１１は、電子カルテが格納される電子カルテデータベース（以下、電子カルテＤＢという）１１ａを備えている。電子カルテは、患者毎に診療に関する診療情報２０を記録したものである。診療情報２０は、患者基本情報と、患者に対して実施した診察や治療の記録（診察記録、治療記録）と、患者に対して実施した各種の医療検査の検査結果を含んでいる。したがって、電子カルテＤＢ１１ａは、本発明の検査結果格納部に相当する。なお、患者が傷病Ｘ、傷病Ｙなどの複数の傷病に罹患している場合の診療情報２０は、診察記録、治療記録及び検査結果が傷病Ｘ、Ｙ毎に記録される。
【００２９】
患者基本情報には、患者の氏名、生年月日、性別、患者ＩＤ等が含まれる。診察記録には、問診や触診等の記録や医師の所見の他、疑われる傷病や診断された傷病の名称である傷病名や、傷病を識別する傷病コードなどからなる傷病識別情報が含まれる。
【００３０】
治療記録は、患者に対して実施された、手術、処方した薬剤、処置の記録である。検査結果には、数値化された検査値で表される医療検査の検査結果や、画像検査の検査結果である読影所見や、医用画像の格納先へのリンク情報（画像保管サーバ１３内の格納先アドレス情報）が記録される。
【００３１】
検査結果が検査値で表される医療検査には、例えば、バイタル検査、血液検査、生化学検査、尿・便検査などがある。各検査には、複数の検査項目が含まれている。例えば、バイタル検査の検査項目としては、体温、血圧、脈拍、呼吸数、体重などがある。血液検査の検査項目としては、白血球数、赤血球数、ヘモグロビン濃度などがある。生化学検査の検査項目としては、タンパク、γ−ＧＰＴなどがある。診療情報２０には、これらの検査項目の検査値が検査を実施した検査日とともに検査結果として記録される。
【００３２】
検査室端末１２は、血液検査やバイタル検査を実施する検査室に設置されている。図２に示すように、検査室端末１２は、診療科端末１７から医療検査の検査オーダを受信することにより、検査室で実施される医療検査を受け付ける。また、検査室端末１２には、医療検査の終了後に、検査オーダと関連付けて医療検査の検査値が入力され、入力された検査値は、電子カルテ保管サーバ１１に送信される。電子カルテ保管サーバ１１は、受信した検査値を、医療検査が行われた患者の電子カルテに検査オーダと関連づけて登録する。
【００３３】
画像保管サーバ１３は、患者に実施された画像検査により撮影された医用画像２３が格納される画像データベース（以下、画像ＤＢという）１３ａを備えている。画像ＤＢ１３ａは、本発明の医用画像格納に相当する。医用画像２３としては、Ｘ線画像、ＣＴ（Computed Tomography）装置で撮影されたＣＴ画像、超音波画像、内視鏡画像などの種類がある。医用画像２３は、画像データ２３ａと、この画像データ２３ａに付帯された付帯情報２３ｂとを含んでいる。付帯情報２３ｂは、医師が画像検査を依頼する際に発行した検査オーダも記録しており、検査オーダ内にはその医用画像２３が撮影された検査目的が記録されている。したがって、付帯情報２３ｂは、本発明の検査目的格納部に相当する。画像保管サーバ１３は、医用画像２３の撮影後に、撮影された医用画像を画像ＤＢ１３ａに格納し、この医用画像の格納先情報を電子カルテ保管サーバ１１に送信する。電子カルテ保管サーバ１１は、受信した格納先情報を、画像検査が行われた患者の電子カルテに登録する。
【００３４】
医療検査及び画像検査の検査オーダは、検査を依頼するために必要な複数の項目を含んでおり、例えば検査される患者の患者ＩＤ、検査を依頼する医師のＩＤ、検査内容、検査目的、検査日などは共通している。検査目的には、傷病名や、傷病を特定するために行われる検査であること、すでに特定されている傷病の経過を観察するために行われる検査であることなど、検査の具体的な目的が記録される。なお、経過観察のための検査はもちろんのこと、傷病を特定するための検査であっても、医師は予め患者が罹患している可能性がある傷病名を予測し、その予測した傷病に罹患しているか否かを特定するために検査を依頼するため、検査目的には傷病名が記録されることが多い。
【００３５】
統合サーバ１６は、電子カルテ保管サーバ１１及び画像保管サーバ１３にアクセスして、検査値を含む診療情報２０及び医用画像２３を収集し、診療情報２０に含まれる検査値と、医用画像２３とを統合した検査結果表示画面６０（図７参照）を生成する機能を備えている。統合サーバ１６は、診療科端末１７からの閲覧要求を受け付けて、検査結果表示画面６０を生成し、生成した検査結果表示画面６０を診療科端末１７に対して配信する。
【００３６】
診療科端末１７は、内科、外科、耳鼻科、眼科といった各診療科に設置される端末であり、統合サーバ１６から受信する検査結果表示画面６０を表示する表示端末として機能する。また、診療科端末１７は、電子カルテ保管サーバ１１にアクセスして診察記録や治療記録を入力するために用いられる他、電子カルテ保管サーバ１１から読み出した診療情報２０を表示するためのカルテ表示画面４２（図５参照）を受信して表示することにより、診療情報２０を閲覧するためのカルテ端末としても機能する。
【００３７】
電子カルテ保管サーバ１１、検査室端末１２、画像保管サーバ１３、統合サーバ１６、診療科端末１７は、それぞれパーソナルコンピュータ、サーバ用コンピュータ、ワークステーションといったコンピュータをベースに、オペレーティングシステムなどの制御プログラムや、クライアントプログラム又はサーバプログラムといったアプリケーションプログラムをインストールして構成される。
【００３８】
図３に示すように、コンピュータは、ＣＰＵ２６、メモリ２７、ストレージデバイス２８、通信Ｉ／Ｆ２９、及びコンソール３０を備えている。これらはデータバス３１を介して接続されている。コンソール３０は、ディスプレイ３２と、キーボードやマウスなどの入力デバイス３３とからなる。
【００３９】
ストレージデバイス２８は、例えば、ＨＤＤ（Hard Disk Drive）であり、制御プログラムやアプリケーションプログラム（以下、ＡＰという）３６が格納される。また、ＤＢが構築されるコンピュータには、プログラムを格納するＨＤＤとは別に、ＤＢ用のストレージデバイス２８として、例えば、ＨＤＤを複数台連装したディスクアレイが設けられる。ディスクアレイは、コンピュータの本体に内蔵されるものでもよいし、本体とは別に設けられ、本体にケーブルやネットワークを通じて接続されるものでもよい。
【００４０】
メモリ２７は、ＣＰＵ２６が処理を実行するためのワークメモリである。ＣＰＵ２６は、ストレージデバイス２８に格納された制御プログラムをメモリ２７へロードして、プログラムに従った処理を実行することにより、コンピュータの各部を統括的に制御する。通信Ｉ／Ｆ２９は、ネットワーク１５との間の伝送制御を行うネットワークインタフェースである。
【００４１】
診療科端末１７には、ＡＰ３６として、電子カルテ保管サーバ１１にアクセスして、診療情報２０を表示するカルテ表示画面４２の閲覧や編集を行うカルテ用ソフトウエアや、統合サーバ１６や画像保管サーバ１３にアクセスして、検査結果表示画面６０や画像の閲覧をするためのビューアソフトウエアといったクライアントプログラムがインストールされている。クライアントプログラムは、例えば、ＸＭＬ（Extensible Markup Language）などのマークアップ言語により記述された画面データを受信してディスプレイ３２に表示するブラウザである。画面データには、ＧＵＩ（Graphical User Interface）による操作画面が含まれる。
【００４２】
図４に示すように、診療科端末１７のＣＰＵ２６は、クライアントプログラムを実行すると端末制御部３９として機能する。端末制御部３９は、入力デバイス３３を通じて、情報や各種の操作指示の入力を受け付ける。端末制御部３９は、患者ＩＤが指定されて、カルテ表示画面４２の表示指示を受け付けると、指定された患者ＩＤを含む配信要求を電子カルテ保管サーバ１１に送信し、指定された患者ＩＤのカルテ表示画面４２を受信する。端末制御部３９は、受信したカルテ表示画面４２をディスプレイ３２に表示する制御を行う。
【００４３】
図５に示すように、カルテ表示画面４２には、診療情報２０に記録されている患者基本情報、診察記録、治療記録及び検査結果のそれぞれを表示する表示欄が設けられている。また、患者が傷病Ｘ、傷病Ｙなどの複数の傷病に罹患している場合の診療情報２０では、診察記録欄、治療記録欄及び検査結果欄は、傷病ごとに分けて表示されている。カルテ表示画面４２において、診察記録欄には、傷病識別情報として、傷病名とそれに対応する傷病コード、医師の所見などが表示される。治療記録欄には、投薬、手術及び処置などに関する情報が表示される。投薬に関する情報としては、例えば薬剤名及び投薬量、投薬期間などが記録される。また、手術に関する情報としては、手術名、手術日及び執刀医などが記録される。
【００４４】
検査結果欄には、医療検査の検査結果と、画像検査により撮影された医用画像、例えば医用画像Ｅ１、Ｅ２の格納先へのリンク情報（画像保管サーバ１３内の格納先アドレス情報）とが表示される。検査結果は、検査オーダ、例えば検査オーダＡ、Ｂ、Ｃ、Ｄ毎に分類されており、各検査オーダには、検査項目及び検査値が表示されている。検査項目には、検査項目Ａ１〜Ａ３、Ｂ１〜Ｂ３、Ｃ１、Ｃ２、Ｄ１、Ｄ２などのように検査項目名が表示され、検査値には各検査項目の検査値が表示される。検査項目及び検査値としては、例えば医療検査がバイタル検査である場合には、体温、血圧、血中酸素飽和度などの項目名と、その検査値とが表示される。また、医療検査が血液検査の場合には、赤血球数、白血球数、ヘモグロビン濃度などの項目名と、その検査値とが表示される。更に、医療検査が生化学検査の場合には、Ｃ反応性蛋白などの項目名と、その検査値とが表示される。
【００４５】
カルテ表示画面４２には、診療情報２０の表示欄の上方に、検査結果表示ボタン４５が設けられている。検査結果表示ボタン４５は、患者に実施された画像検査及び医療検査の結果を統合して表示する検査結果表示画面６０の表示を指示する操作ボタンである。入力デバイス３３によりマウスのポインタ４６が操作されて、検査結果表示ボタン４５がクリックされると、端末制御部３９には、検査結果表示画面６０の表示指示が入力される。
【００４６】
図４に示すように、端末制御部３９は、検査結果表示画面６０の表示指示を受け付けると、カルテ表示画面４２に表示されている診療情報２０から患者ＩＤを読み出す。また、端末制御部３９は、読み出した患者ＩＤを含む配信要求を統合サーバ１６に送信する。端末制御部３９は、配信要求に応じた検査結果表示画面６０を受信すると、検査結果表示画面６０をディスプレイ３２に表示する制御を行う。
【００４７】
統合サーバ１６には、ＡＰ３６として、クライアントからの要求に応じて処理を実行するサーバプログラムがインストールされている。統合サーバ１６のＡＰ３６は、本発明の検査結果表示プログラムに相当する。統合サーバ１６のＣＰＵは、サーバプログラムを実行することにより、サーバ制御部５０、ＤＢアクセス部５１、画面生成部５２として機能する。サーバ制御部５０には、ストレージデバイス２８が接続されている。ストレージデバイス２８は、本発明の重要検査項目格納部に相当し、診療の際に参照する検査項目を重要検査項目として傷病毎に記録した重要検査項目情報５３が格納されている。
【００４８】
サーバ制御部５０は、通信Ｉ／Ｆ２９を通じて診療科端末１７からの配信要求を受け付けて、統合サーバ１６の各部を制御する。ＤＢアクセス部５１は、本発明の検査結果読出部に相当し、通信Ｉ／Ｆ２９を通じてカルテＤＢ１１ａ及び画像ＤＢ１３ａにアクセスして、配信要求に含まれる患者ＩＤに対応する診療情報２０及び医用画像２３を読み出す。画面生成部５２は、診療情報２０及び医用画像２３に基づいて検査結果表示画面６０を生成する。
【００４９】
画面生成部５２は、ＤＢアクセス部５１が取得した診療情報２０から、検査結果が数値化された検査値によって表されている検査項目の検査値を全て読み出す。例えば、図５に示すように、診療情報２０に複数の傷病Ｘ、Ｙに関する検査結果が記録されている場合には、これら傷病Ｘ、Ｙの検査項目Ａ１〜Ａ３、Ｂ１〜Ｂ３、Ｃ１、Ｃ２、Ｄ１、Ｄ２の検査値を全て読み出す。また、画面生成部５２は、ＤＢアクセス部５１が取得した全医用画像２３について、サイズが縮小されたサムネイル画像を生成する。画面生成部５２は、読み出した検査値及び生成したサムネイル画像に基づいて、検査結果表示画面６０を生成する。生成された検査結果表示画面６０は、サーバ制御部５０及び通信Ｉ／Ｆ２９を通じて診療科端末１７に配信される。
【００５０】
サーバ制御部５０は、本発明の画像選択情報受付部としても機能し、検査結果表示画面６０において入力デバイス３３によりサムネイル画像が選択された場合には、診療科端末１７から選択されたサムネイル画像の識別情報を含む画像選択情報を受け付ける。画面生成部５２は、本発明の検査目的読出部としても機能し、選択されたサムネイル画像に対応する医用画像２３の付帯情報２３ｂを参照して、付帯情報２３ｂに含まれる撮影オーダから検査目的を取得し、この検査目的の内容から傷病名を特定する。例えば、検査目的に「肺ガンの診断目的」と記録されている場合には、サーバ制御部５０は、「肺ガン」を傷病名として特定する。また、サーバ制御部５０は、診療情報２０から、特定した傷病名に対応する傷病コードを取得する。
【００５１】
画面生成部５２は、本発明の重要検査項目読出部としても機能し、ストレージデバイス２８にアクセスして重要検査項目情報５３を参照して、検査目的に基づいて特定した傷病コードに応じた重要検査項目を取得する。そして、重要検査項目の検査値のみが表示されるように、検査結果表示画面６０を更新する。
【００５２】
図６に示すように、重要検査項目情報５３は、バイタル検査、血液検査、生化学検査などの各種の医療検査に含まれる複数の検査項目のうち、診療の際に参照する検査項目を重要検査項目として傷病毎に記録したものである。図６において、「○」印は、傷病毎の重要検査項目を示している。「肺炎」の重要検査項目としては、「ＳｐＯ２」、「リンパ球（ＥＯＳ）、及び「ＣＲＰ」などに「○」印が付されている。例えば、血液検査の検査項目のうち、赤血球数（「ＲＢＣ））は、傷病が「肺炎」の場合には参照する必要はないが、傷病が「腎臓ガン」の場合には、参照が必要な検査項目となるというように、重要検査項目は傷病毎に異なる。重要検査項目情報５３は、傷病と、傷病に応じた重要検査項目を関連づけて記録した参照テーブルの形態で、ストレージデバイス２８に格納されている。
【００５３】
なお、図６に示す重要検査項目情報５３は１例であり、傷病として、「肝臓ガン」、「肺炎」、「腎臓ガン」が記録されているが、実際には、「肺炎」でも、例えば、原因菌に応じて、「肺炎球菌肺炎」、「肺炎桿菌肺炎」、「インフルエンザ桿菌肺炎」、「緑膿菌肺炎」、「レジオネラ肺炎」などに細分化されている。重要検査項目情報５３には、細分化された傷病毎に傷病コードが記録され、傷病コード毎に重要検査項目が記録されている。
【００５４】
重要検査項目情報５３は、例えば、統合サーバ１６のアプリケーションプログラムに含めて提供されるが、医療機関において新規作成や更新を行うことも可能である。重要検査項目情報５３の作成や更新は、例えば、統合サーバ１６のコンソールや診療科端末１７から行われる。
【００５５】
図７は、ＤＢアクセス部５１により読み出された診療情報２０及び医用画像２３に基づいて、画面生成部５２で生成された検査結果表示画面６０を示している。検査結果表示画面６０は、画面上部に配置された検査値表示領域６１と、この検査値表示領域６１の下方に配置された画像表示領域６２とを備える。検査値表示領域６１と画像表示領域６２との間には、例えば右方に向かって時間の流れを表現するための時間軸６３が表示されている。時間軸６３上には、医療検査及び画像検査が行われた時期がプロットされ、その下方には日付が表示されている。
【００５６】
検査値表示領域６１には、診療情報２０から読み出された全ての検査値について、患者に対して複数回実施された検査の検査値に基づいて作成された、各検査値の時間的な推移を示す検査値グラフ６６が表示されている。検査値グラフ６６は、横軸には時間が、縦軸には検査値の大きさが割り当てられており、横軸の時間は、時間軸６３に合わせて設定されている。本例においては、２０１０／７／７、２０１０／７／１０、２０１０／７／１４、２０１０／７／２１の４回に渡って医療検査が実施されており、検査値グラフ６６は、各医療検査の検査項目Ａ１〜Ａ４、Ｂ１〜Ｂ４の検査値を表すマーカーが時系列にプロットされ、各マーカーの間を直線で結んだ折れ線グラフとなっている。検査値グラフ６６において、各検査項目Ａ１〜Ａ４、Ｂ１〜Ｂ４の検査値はそれぞれ単位が異なっているため、縦軸の検査値の大きさについては、それぞれの検査項目に関して検査値の相対的な変化が把握できるように規格化されている。
【００５７】
なお、プロットされている各マーカーの近傍に、検査項目名と、検査値の数値とを表示してもよい。また、検査項目を区別できるようにするためにマーカーの形状を異ならせているが、マーカーの色や大きさ、線の色や種類、太さ等を異ならせてもよい。
【００５８】
画像表示領域６２には、医用画像２３に基づいて生成されたサムネイル画像Ｐ１〜Ｐ７がその撮影日に応じて時間軸６３に沿って配置されている。サムネイル画像Ｐ１〜Ｐ７は、その医用画像２３の種類毎に上下方向で配置位置が異なっており、例えば一番上にはＸ線画像のサムネイル画像Ｐ１〜Ｐ４が、その下方にはＣＴ画像のサムネイル画像Ｐ５、Ｐ６が、最下方には超音波画像のサムネイル画像Ｐ７が配置されている。なお、医用画像２３として、内視鏡画像など他の種類の画像が存在する場合には、サムネイル画像Ｐ７の下方に表示されることになる。
【００５９】
図７に示す検査結果表示画面６０において、入力デバイス３３によりマウスのポインタ６９が操作されて、サムネイル画像Ｐ１〜Ｐ７のいずれかが選択されると、画面生成部５２により検査結果表示画面６０が更新される。図８は、画面生成部５２によって更新された後の検査結果表示画面６０を示している。検査値表示領域６１には、サムネイル画像Ｐ２の検査目的に対応する重要検査項目、例えばＡ１、Ａ３、Ｂ２、Ｂ３の検査値のみを表す検査値グラフ７０のみが表示される。したがって、サムネイル画像選択後の検査結果表示画面６０は、重要検査項目の検査値が見やすくなる。
【００６０】
図９は、統合サーバ１６が、サムネイル画像の選択に基づいて医用画像２３の検査目的を取得し、この検査目的に基づいて重要検査項目を取得し、検査結果表示画面６０の検査値表示領域６１の表示内容を、全ての検査値に関する検査値グラフ６６から、重要検査項目の検査値のみを表示した検査値グラフ７０に更新することを概念的に表している。
【００６１】
図１０に示すように、画面生成部５２は、サムネイル画像Ｐ１〜Ｐ７のいずれかがダブルクリックされた場合には、サムネイル画像に対応する医用画像２３を検査結果表示画面６０内に表示する。その際に、検査値表示領域６１の内容、すなわち検査値グラフ７０を医用画像２３に重畳するように表示する。これにより、医用画像２３を閲覧しながら、検査値も確認することができる。なお、医用画像２３において患部を閲覧しやすくするために、検査値グラフ７０は医用画像２３上で移動可能にされている。
【００６２】
以下、上記構成により検査結果表示画面６０を表示するための作用について、図１１に示すフローチャートを参照しながら説明する。端末制御部３９は、カルテ表示画面４２において検査結果表示画面６０の表示指示を受け付けると、カルテ表示画面４２に表示されている診療情報２０から患者ＩＤを読み出し、読み出した患者ＩＤを含む配信要求を統合サーバ１６に送信する。統合サーバ１６は、診療科端末１７から患者ＩＤ及び傷病コードを含む配信要求を受け付ける（Ｓ１０）。
【００６３】
ＤＢアクセス部５１は、通信Ｉ／Ｆ２９を通じてカルテＤＢ１１ａにアクセスして、配信要求に含まれる患者ＩＤに対応する診療情報２０を読み出す（Ｓ１１）。また、ＤＢアクセス部５１は、通信Ｉ／Ｆ２９を通じて画像ＤＢ１３ａにアクセスして、配信要求に含まれる患者ＩＤに対応する医用画像２３を読み出す（Ｓ１２）。
【００６４】
画面生成部５２は、ＤＢアクセス部５１により読み出された診療情報２０及び医用画像２３に基づいて、患者に関する全ての検査値が表示された検査結果表示画面６０を生成する（Ｓ１３）。具体的には、画面生成部５２は、診療情報２０から検査項目の検査値を全て読み出して、各検査値の時間的な推移を示す検査値グラフ６６を作成する。また、画面生成部５２は、全ての医用画像２３についてサムネイル画像Ｐ１〜Ｐ７を生成する。画面生成部５２は、検査値グラフ６６及びサムネイル画像Ｐ１〜Ｐ７に基づいて、検査結果表示画面６０を生成する。生成された検査結果表示画面６０は、サーバ制御部５０及び通信Ｉ／Ｆ２９を通じて診療科端末１７に配信される（Ｓ１４）。
【００６５】
端末制御部３９は、配信要求に応じた検査結果表示画面６０を受信すると、検査結果表示画面６０をディスプレイ３２に表示する制御を行う。検査結果表示画面６０には、診療情報２０から読み出された全ての検査値について、患者に対して複数回実施された検査の検査値に基づいて、各検査値の時間的な推移を示す検査値グラフ６６と、患者について撮影された全医用画像２３のサムネイル画像Ｐ１〜Ｐ７とが表示される。
【００６６】
サーバ制御部５０は、検査結果表示画面６０において入力デバイス３３によりサムネイル画像が選択された場合には（Ｓ１５でＹＥＳ）、診療科端末１７から選択されたサムネイル画像の識別情報を含む画像選択情報を受け付ける（Ｓ１６）。画面生成部５２は、選択されたサムネイル画像に対応する医用画像２３の付帯情報２３ｂを参照し、付帯情報２３ｂに含まれる撮影オーダから検査目的を取得する（Ｓ１７）。また、画面生成部５２は、取得した検査目的の内容から傷病名を特定し、診療情報２０から、特定した傷病名に対応する傷病コードを取得する。
【００６７】
画面生成部５２は、ストレージデバイス２８にアクセスして重要検査項目情報５３を参照して、検査目的に基づいて特定した傷病コードに応じた重要検査項目を取得する（Ｓ１８）。そして、検査値表示領域６１に重要検査項目の検査値のみが表示されるように、検査結果表示画面６０を更新する（Ｓ１９）。具体的には、選択されたサムネイル画像の検査目的に対応する重要検査項目の検査値のみを表す検査値グラフ７０のみが検査値表示領域６１に表示されるように、検査結果表示画面６０が更新される。更新された検査結果表示画面６０は、サーバ制御部５０及び通信Ｉ／Ｆ２９を通じて診療科端末１７に配信される（Ｓ２０）。
【００６８】
端末制御部３９は、更新された検査結果表示画面６０をディスプレイ３２に表示する制御を行う。検査結果表示画面６０には、選択されたサムネイル画像の検査目的に対応する重要検査項目の検査値のみを表す検査値グラフ７０のみが検査値表示領域６１に表示される。
【００６９】
本実施形態によれば、検査値表示領域６１には、選択されたサムネイル画像の検査目的に対応する重要検査項目の検査値のみが表示されるので、重要検査項目の選択操作が不要になり、操作性が向上する。また、重要検査項目の検査値が見やすくなるので、検査値の見間違いによる誤診を防ぐこともできる。更に、検査値表示領域６１には、検査値の時間的な推移を示す検査値グラフが表示されるので、治療方針の決定や治療効果の見極めにおいて非常に有用である。
【００７０】
上記実施形態では、検査結果表示画面６０において一つのサムネイル画像が選択された場合について説明しているが、複数のサムネイル画像が選択された場合には、画面生成部５２は、複数のサムネイル画像のそれぞれについて検査目的及び重要検査項目を取得し、取得した重要検査項目の検査値を検査値表示領域６１に表示する。これによれば、複数の検査目的に対応する検査値を同時に閲覧することができるので、複数の傷病に併発している可能性がある場合の診療に効果的である。
【００７１】
［第２実施形態］
次に、本発明の第２実施形態について説明する。本実施形態は、検査結果表示画面６０において複数のサムネイル画像が選択された場合に、画面生成部５２は、複数のサムネイル画像のそれぞれについて検査目的及び重要検査項目を取得し、複数の検査目的に共通する重要検査項目の検査値を、共通しない検査値と識別可能なように検査値表示領域６１に表示する機能に関する。なお、本実施形態において第１実施形態と同じ構成については、同符号を用いて詳しい説明は省略する。
【００７２】
図１２及び図１３に示すように、画面生成部５２は、選択された複数のサムネイル画像の検査目的が共通する場合、例えば検査項目Ａ１、Ａ３が複数の検査目的において共通する検査項目である場合には、共通する検査項目Ａ１、Ａ３のマーカーのサイズを他の検査項目のマーカーよりも大きくすることによって、識別可能に表示する。なお、識別可能に表示する手法としては、マーカーの色を変えたり、点滅表示させてもよい。また、マーカーを接続する線を太くしたり、色を変えてもよい。更に、共通する検査項目が識別可能になればよいので、共通しない検査項目を共通する検査項目よりも薄く表示するなどして目立たなくしてもよい。
【００７３】
また、図１４に示すように、画面生成部５２は、選択された複数のサムネイル画像の検査目的が共通する場合、例えば検査項目Ａ１、Ａ３が複数の検査目的において共通する検査項目である場合には、共通する検査項目Ａ１、Ａ３のみを検査値表示領域６１に表示するようにしてもよい。
【００７４】
［第３実施形態］
次に、本発明の第３実施形態について説明する。本実施形態は、検査項目毎に検査値の基準値の範囲を記録した基準値情報を格納する基準値格納部にアクセスして基準値情報を取得し、基準値情報と検査値表示領域に表示される検査値とを比較して、基準値の範囲内にある検査値と、基準値の範囲外にある検査値とを識別可能に表示する機能に関する。なお、本実施形態において第１実施形態と同じ構成については、同符号を用いて詳しい説明は省略する。
【００７５】
図１５に示すように、本実施形態では、重要検査項目情報５３に基準値の範囲を示す基準値情報５３ａを追加することにより、ストレージデバイス２８を基準値情報格納部として兼用している。図１６及び図１７に示すように、画面生成部５２は、本発明の基準値情報取得部及び比較部としても機能し、重要検査項目情報５３から重要検査項目を取得する際に、重要検査項目の基準値情報も取得し、検査値表示領域６１に表示されている検査値を比較する。基準値の範囲外の検査値がある場合には、画面生成部５２は、基準値の範囲外にある検査値のマーカーを例えば大きくして、基準値内の検査値と識別可能に表示する。なお、識別可能に表示する手法としては、マーカーの色を変えたり、点滅表示させてもよい。また、基準値外の検査値が識別可能になればよいので、基準値範囲内の検査値を基準値範囲外の検査値よりも薄く表示するなどして目立たなくしてもよい。また、基準値外の検査値のみが表示されるようにしてもよい。なお、重要検査項目情報５３に基準値情報５３ａを組み込んだが、重要検査項目情報５３とは別に基準値情報を設けておき、これをストレージデバイス２８に格納してもよい。
【００７６】
なお、上記実施形態では、検査結果表示画面に表示する検査値を検査値グラフとして表示しているが、検査値を表示してもよい。この場合、基準値の範囲外の検査値については、その旨が識別できるように表示するのが好ましい。また、表示されている検査値の過去または将来の検査値が基準値外となっている場合には、その旨を表示するようにしてもよい。
【００７７】
また、統合サーバ１６及び診療科端末１７に基づいて検査結果表示装置１４を構成しているが、診療科端末１７に統合サーバ１６の機能を設けることにより、診療科端末１７のみで検査結果表示装置としての機能を得られるようにしてもよい。また、上記実施形態では、医療検査の検査結果を表示する検査結果表示装置として説明しているが、本発明は、電子カルテ保管サーバ１１から収集した診療情報２０及び画像保管サーバ１３から収集した医用画像を統合的に表示するための機能を備えた診療情報統合表示装置に対し、検査結果を表示するための機能を実現するために組み込んでもよい。
【符号の説明】
【００７８】
１０  医療情報システム
１１  電子カルテ保管サーバ
１１ａ  電子カルテデータベース（検査結果格納部）
１３  画像保管サーバ
１３ａ  画像データベース（医用画像格納部）
１４  検査結果表示装置
１６  検査結果収集・統合サーバ
１７  診療科端末
２０  診療情報
２３  医用画像
２３ｂ  付帯情報（検査目的格納部）
２８  ストレージデバイス（重要検査項目格納部、基準値格納部）
３９  端末制御部
５０  サーバ制御部（画像選択情報受付部）
５１  ＤＢアクセス部（検査結果読出部）
５２  画面生成部（検査目的読出部、重要検査項目読出部、基準値情報取得部、比較部）
５３  重要検査項目情報
６０  検査結果表示画面
６１  検査値表示領域
６２  画像表示領域
【図１】
2014109835.tif 000003
【図２】
2014109835.tif 000004
【図３】
2014109835.tif 000005
【図４】
2014109835.tif 000006
【図５】
2014109835.tif 000007
【図６】
2014109835.tif 000008
【図７】
2014109835.tif 000009
【図８】
2014109835.tif 000010
【図９】
2014109835.tif 000011
【図１０】
2014109835.tif 000012
【図１１】
2014109835.tif 000013
【図１２】
2014109835.tif 000014
【図１３】
2014109835.tif 000015
【図１４】
2014109835.tif 000016
【図１５】
2014109835.tif 000017
【図１６】
2014109835.tif 000018
【図１７】
2014109835.tif 000019